(57)【要約】      （修正有）【課題】使用後のティッシュペーパーを衛生的に処理することのできる携帯型ティッシュを提供する。【解決手段】柔軟性のある樹脂製で、前面に第一取出口２ａを有すると共に、背面に第二取出口２ｂを有する収納袋と、収納袋の略前半部に収納され、第一取出口２ａから取り出されて使用されるティッシュペーパー３と、収納袋の略後半部に収納され、第二取出口２ｂから取り出され、使用後のティッシュペーパー３を収納隔離する柔軟性に優れた処理包装材４とで構成する。【選択図】図３
0003167718.tif 000002
【実用新案登録請求の範囲】
【請求項１】
使用後のティッシュペーパーを衛生的に処理することのできる携帯型のティッシュセットであって、柔軟性に富む合成樹脂製で，前面に第一取出口（２ａ）を有すると共に，背面に第二取出口（２ｂ）を有する収納袋（２）と、前記収納袋の略前半部に収納され，前記第一取出口から取り出されるところの、折畳状態が長方形の使用されるティッシュペーパー（３）群と、前記収納袋の略後半部に収納され，前記第二取出口から取り出され，前記使用後のティッシュペーパーを収納隔離するところの柔軟性に優れた折畳状態が前記長方形と同寸の長方形の焼却時有害ガス非発生合成樹脂製処理包装材（４）群と、を備えた携帯型ティッシュセット。
【請求項２】
使用後のティッシュペーパーを衛生的に処理することのできる携帯型のティッシュセットであって、柔軟性に富む合成樹脂製で，前面に第一取出口（２ａ）を有すると共に，背面に第二取出口（２ｂ）を有する収納袋（２）と、前記収納袋の略前半部に収納され，前記第一取出口から取り出されるところの、折畳状態が長方形の使用されるティッシュペーパー（３）群と、前記収納袋の略後半部に収納され，前記第二取出口から取り出され，前記使用後のティッシュペーパーを収納隔離するところの柔軟性に優れた折畳状態が前記長方形と同寸の長方形のシート状の焼却時有害ガス非発生合成樹脂製処理包装材（４）群と、を備えた携帯型ティッシュセット。
【請求項３】
使用後のティッシュペーパーを衛生的に処理することのできる携帯型のティッシュセットであって、柔軟性に富む合成樹脂製で，前面に第一取出口（２ａ）を有すると共に，背面に第二取出口（２ｂ）を有する収納袋（２）と、前記収納袋の略前半部に収納され，前記第一取出口から取り出されるところの、折畳状態が長方形のティッシュペーパー（３）群と、前記収納袋の略後半部に収納され，前記第二取出口から取り出され，前記使用後のティッシュペーパーを収納隔離するところの柔軟性に優れた折畳状態が前記長方形と同寸の長方形の袋状の焼却時有害ガス非発生合成樹脂製処理包装材（４）群と、を備えた携帯型ティッシュセット。
【考案の詳細な説明】
【技術分野】
【０００１】
本考案は、使用後のティッシュペーパーを清潔に処理することのできる携帯型のティッシュ（いわゆるポケットティッシュ）に関するものである。
【背景技術】
【０００２】
従来から、携帯型ティッシュが多く使用されている。この携帯型ティッシュは、ドライ型またはウエット型のティッシュペーパーを、合成樹脂製の収納袋に適当枚数収納して構成され、携帯中あるいは屋内などで必要となった際に、収納袋に形成された取出口から取り出して使用するものである。
【０００３】
また、収納袋の背面に使用済のティッシュペーパーを収める弛みのあるポケットを設けたものも知られているが、使用量に応じてポケットが嵩張り、不便で実用化されていない。
【先行技術文献】
【特許文献】
【０００４】
【特許文献１】実開平０６−０８６６８２号公報
【考案の概要】
【考案が解決しようとする課題】
【０００５】
こうした携帯型ティッシュは持ち運びが容易であり、また、屋内では場所を取らないといった大きな利点があるものの、不便さも備えている。すなわち、この携帯型ティッシュのティッシュペーパーは、例えば、風邪を引いた場合に鼻をかんだり、痰を出したりする場合に使用し、あるいは、外出中に、例えば、泥で汚れた靴を拭く場合に使用するなど、あらゆる用途に使用できるが、使用後のティッシュペーパーを処理する手段は備えていない。従って、使用後のティッシュペーパーは、周囲にゴミ箱がない限り、着衣のポケットや鞄などに入れてしまうのが通常である。
【０００６】
こうした汚れたティッシュペーパーを着衣のポケットや鞄などに入れてしまうと、当然ながら、当該着衣や鞄などを汚してしまい、また、病原菌が周囲に飛散してしまうなど、極めて不衛生である。
【０００７】
本考案はこうした問題に鑑み創案されたもので、使用後のティッシュペーパーを衛生的に処理することのできる携帯型ティッシュセットを提供することを課題とする。
【課題を解決するための手段】
【０００８】
図１乃至図１０を参照して説明する。請求項１に記載の携帯型ティッシュセット１は、使用後のティッシュペーパー３を衛生的に処理することのできるものであり、柔軟性に富む合成樹脂製で、前面に第一取出口２ａを有すると共に、背面に第二取出口２ｂを有する収納袋２と、前記収納袋２の略前半部に収納され、前記第一取出口２ａから取り出されるところの、折畳状態が長方形のティッシュペーパー３群と、前記収納袋２の略後半部に収納され、前記第二取出口２ｂから取り出され、前記使用後のティッシュペーパー３を収納隔離するところの柔軟性に優れた折畳状態が前記長方形と同寸の長方形の焼却時有害ガス非発生合成樹脂製処理包装材４群と、を備える。
【０００９】
請求項２に記載の携帯型ティッシュセット１は、使用後のティッシュペーパー３を衛生的に処理することのできるものであり、柔軟性に富む合成樹脂製で、前面に第一取出口２ａを有すると共に、背面に第二取出口２ｂを有する収納袋２と、前記収納袋２の略前半部に収納され、前記第一取出口２ａから取り出されるところの、折畳状態が長方形のティッシュペーパー３群と、前記収納袋２の略後半部に収納され、前記第二取出口２ｂから取り出され、前記使用後のティッシュペーパー３を収納隔離するところの柔軟性に優れた折畳状態が前記長方形と同寸の長方形のシート状の焼却時有害ガス非発生合成樹脂製処理包装材４群と、を備える。
【００１０】
請求項３に記載の携帯型ティッシュセット１は、使用後のティッシュペーパー３を衛生的に処理することのできる携帯型のティッシュセットであり、柔軟性に富む合成樹脂製で、前面に第一取出口２ａを有すると共に、背面に第二取出口２ｂを有する収納袋２と、前記収納袋２の略前半部に収納され、前記第一取出口２ａから取り出されて使用されるところの、折畳状態が長方形のティッシュペーパー３群と、前記収納袋２の略後半部に収納され、前記第二取出口２ｂから取り出され、前記使用後のティッシュペーパー３を収納隔離するところの柔軟性に優れた折畳状態が前記長方形と同寸の長方形の袋状の焼却時有害ガス非発生合成樹脂製処理包装材４群と、を備える。
【考案の効果】
【００１１】
請求項１に記載の携帯型ティッシュセット１は、収納袋２の略前半部にティッシュペーパー３を収納する共に、略後半部に処理包装材４を収納し、第一取出口２ａから取り出して使用したティッシュペーパー３を、第二取出口２ｂから取り出した処理包装材４によって収納隔離するので、それを例えば着衣のポケットや鞄などに入れても、当該ティッシュペーパー３に付着した汚れが周囲に付着したり、病原菌が飛散することがない。従って、使用後のティッシュペーパー３を衛生的に処理することができる。また、処理包装材４を、焼却時有害ガス非発生合成樹脂製としているので、焼却処理した場合でも有害物質を発生させない。従って、環境保全に貢献することができる。
【００１２】
請求項２に記載の携帯型ティッシュセット１は、収納袋２の略前半部にティッシュペーパー３を収納する共に、略後半部に処理包装材４を収納し、第一取出口２ａから取り出して使用したティッシュペーパー３を、第二取出口２ｂから取り出したシート状処理包装材４によって収納隔離するので、それを例えば着衣のポケットや鞄などに入れても、当該ティッシュペーパー３に付着した汚れが周囲に付着したり、病原菌が飛散することがない。従って、使用後のティッシュペーパー３を衛生的に処理することができる。また、処理包装材４を、焼却時有害ガス非発生合成樹脂製としているので、焼却処理した場合でも有害物質を発生させない。従って、環境保全に貢献することができる。
【００１３】
請求項３に記載の携帯型ティッシュセット１は、収納袋２の略前半部にティッシュペーパー３を収納する共に、略後半部に処理包装材４を収納し、第一取出口２ａから取り出して使用したティッシュペーパー３を、第二取出口２ｂから取り出した袋状処理包装材４によって収納隔離するので、それを例えば着衣のポケットや鞄などに入れても、当該ティッシュペーパー３に付着した汚れが周囲に付着したり、病原菌が飛散することがない。従って、使用後のティッシュペーパー３を衛生的に処理することができる。また、処理包装材４を、焼却時有害ガス非発生合成樹脂製としているので、焼却処理した場合でも有害物質を発生させない。従って、環境保全に貢献することができる。
【図面の簡単な説明】
【００１４】
【図１】本考案に係る携帯型ティッシュセットの一実施形態を示す斜視図である。
【図２】図１に示す携帯型ティッシュセットの背面図である。
【図３】図２のＸ−Ｘ線切断側面図である。
【図４】図１乃至図３の収納袋の展開図である。
【図５】本考案に係る携帯型ティッシュセットの他の形態を示す背面図である。
【図６】図５のＹ−Ｙ線切断拡大側面図である。
【図７】本考案に係る携帯型ティッシュセットの更に他の実施形態を示す前面図である。
【図８】図７の背面図である。
【図９】図７のＺ−Ｚ線切断拡大側面図である。
【図１０】図７の収納袋の展開図である。
【図１１】本考案に係る提携型ティッシュの作用を示す側面説明図である。
【考案を実施するための形態】
【００１５】
本考案に係る携帯型ティッシュセット１の一実施形態を、図１乃至図６を参考にして説明する。これは、使用後のティッシュペーパー３を衛生的に処理することのできる手段を有するものであり、収納袋２、ティッシュペーパー３および処理包装材４で構成される。
【００１６】
収納袋２は、柔軟性に富む合成樹脂製で、前面に第一取出口２ａを有すると共に、背面に第二取出口２ｂを有する。本実施形態における第一取出口２ａは、直線状に刻設したミシン目Ｍを破断して形成するものであり、第二取出口２ｂは、収納袋２の背面の二つの二枚の背面端部同士を解放状態で重ね合わせた部分（重ね部Ｌ）を押し広げて形成するものである。なお、この収納袋２は他の材料で形成することもできる。
【００１７】
収納袋２の前面の端部同士を重ね合わせ、その中央部を部分的に接着（または圧着）した接着部Ｂを有する第一取出口２ａを形成することもできる（図５及び図６参照）。また、それらの構造を適宜組み合わせることもできる。
【００１８】
第一取出口２ａおよび第二取出口２ｂは、上記構成に限定されるものではない。従って、例えば、収納袋２の前面中央部及び背面中央部にあらかじめ形成した長穴部Ｈを、剥取可能なシールカバーＳで塞いで第一取出口２ａ及び第二取出口２ｂを形成することもできる（図７乃至図１０参照）。
【００１９】
ティッシュペーパー３は、収納袋２の内部のほぼ前半部に収納され、第一取出口２ａから取り出されて使用される。図１乃至図６の本実施形態におけるティッシュペーパー３はドライ型であるが、図７乃至図１０実施形態のものは、ドライ型のみならずウエット型を使用することもできる。
【００２０】
処理包装材４は、収納袋２の内部のほぼ後半部に収納され、第二取出口２ｂから取り出され、使用後のティッシュペーパー３を収納隔離（隔離状態で収納）する柔軟性に富んだ袋状である。なお、本実施形態における処理包装材４は、ポリエチレンやポリプロピレンよりなる焼却時有害ガス非発生合成樹脂製である。
【００２１】
また、本実施形態では、収納袋２には、ティッシュペーパー３と処理包装材４のみを収納しているが、両者の間に、合成樹脂製や紙製などの肉薄の仕切り材を介在させることもできる。また、収納袋２を、同じ材質の壁を一体的に設けて仕切り材とすることもできる。
【００２２】
図４及び図１０を参考にして略長方形体状をした重積ティッシュペーパー群と重積処理包装材群との積み重ね物を収納袋２に積める作業について説明する。図４及び図１０においてイ〜ラは折る順番を示し、ホ，チ，ル，カは谷折りを、その他は山折りを示している。矩形をした収納袋２用フィルムに直線状のミシン目Ｍ又はシールカバーＳによって背面から塞がれた穴部Ｈ上に処理包装材４群を載せ、その上にティッシュペーパー３群を載せ、一方側のフィルムを山折りにして処理包装材群上に載せ、次いで他方側のフィルムを山折りして一方側のフィルム上に載せ、最後に前後のフィルム突出縁Ｋを熱融着している。上側の左右のフィルムの重合幅が広いときには図３，図９の如く重ね合わせてまきとり、重合幅が狭いときには、図５，図６に示す如く前面側重ね縁の中央部をスポット的に留め、長方形の短辺に沿う突出縁Ｋを圧着して収納袋２を形成する。
【００２３】
本実施形態に係る携帯型ティッシュセット１は、次のようにして使用することができる（図１１参照）。まず、必要に応じてティッシュペーパー３を収納袋２の第一取出口２ａから取り出して使用する。それに前後して処理包装材４を収納袋２の第二取出口２ｂから取り出す。続いて、使用後のティッシュペーパー３を処理包装材４の中に収納し、当該ティッシュペーパー３を周囲から隔離状態とする。なお、処理包装材４を折り畳むことによって内部を密閉状態とすることができる。この状態で、着衣のポケットや鞄などに入れて持ち運び、ゴミ箱などに捨てる。なお、処理包装材４をシート状とした場合には、使用後のティッシュペーパー３を包み込むと良い。
【００２４】
ここで、着衣のポケットなどに入れられた使用後のティッシュペーパー３は、処理包装材４によって周囲から隔離状態に置かれているので、その汚れが周囲に付着することがない。また、当該ティッシュペーパー３に付着している病原菌が周囲に飛散することもない。ゴミ箱に捨てられた場合も同様である。これにより、使用後のティッシュペーパー３を極めて衛生的に処理することができる。
【００２５】
また、この携帯型ティッシュセット１は、処理包装材４を廃棄場で焼却処分された場合、有毒ガスを発生させない。従って、環境を汚染することもない。
【符号の説明】
【００２６】
１        携帯型ティッシュセット
２        収納袋
２ａ      第一取出口
２ｂ      第二取出口
３        ティッシュペーパー
４        処理包装材
Ｂ        接着部
Ｈ        穴部
Ｋ        突出縁
Ｌ        重ね部
Ｍ        ミシン目
Ｎ        重合融着縁
Ｓ        シールカバー
【図１】
0003167718.tif 000003
【図２】
0003167718.tif 000004
【図３】
0003167718.tif 000005
【図４】
0003167718.tif 000006
【図５】
0003167718.tif 000007
【図６】
0003167718.tif 000008
【図７】
0003167718.tif 000009
【図８】
0003167718.tif 000010
【図９】
0003167718.tif 000011
【図１０】
0003167718.tif 000012
【図１１】
0003167718.tif 000013